(57)【要約】【課題】梱包の仕様を変更可能なテープ取出方法を提供する。【解決手段】収納始めの端部２０Ａを上面６１Ａに臨ませ、段ボール箱６１内にジッパーテープ２０を落下させつつ周回状に収納し、収納始めの端部２０Ｂを上面６１Ａに臨ませて梱包したＬ仕様用の梱包体６を用いる。Ｒ仕様用に変更する場合、上面開口６１Ａ１から端部２０Ａ，２０Ｂを延出させ、上面６１Ａから底面に設けた切り込み６８Ａを通して、底面側に移動させる。上面開口６１Ａ１および切り込み６８Ａを仮封止し、梱包体６の天地を逆転させる。底面を開口させ、端部２０Ａ，２０Ｂを延出させ、収納始めの端部２０Ａから供給させることでＲ仕様用となる。【選択図】図６
2017226467.tif 000002
【特許請求の範囲】
【請求項１】
テープ類を収納容器の鉛直方向における上面の開口から内部へ落下させながら、前記収納容器の鉛直方向に沿った中心軸を中心として周回状に収納して梱包するテープ類の梱包方法であって、
前記テープ類の収納始めの端部は、前記テープ類の収納終わりの端部が位置される前記収納容器の上面の開口とは異なる面に臨んで位置させる
ことを特徴とするテープ類の梱包方法。
【請求項２】
請求項１に記載のテープ類の梱包方法において、
前記テープ類の収納始めの端部は、前記収納容器の底面に臨んで位置させる
ことを特徴とするテープ類の梱包方法。
【請求項３】
請求項１に記載のテープ類の梱包方法において、
前記テープ類の収納始めの端部は、前記収納容器の側面に臨んで位置させる
ことを特徴とするテープ類の梱包方法。
【請求項４】
テープ類を収納容器の鉛直方向における上面の開口から内部へ落下させながら、前記収納容器の鉛直方向に沿った中心軸を中心として周回状に収納して梱包するテープ類の梱包方法であって、
前記テープ類の収納始めの端部および収納終わりの端部を、前記収納容器の側面にそれぞれ臨んで位置させる
ことを特徴とするテープ類の梱包方法。
【請求項５】
請求項４に記載のテープ類の梱包方法において、
前記テープ類の収納始めの端部および収納終わりの端部を、前記収納容器の同一側面にそれぞれ臨んで位置させる
ことを特徴とするテープ類の梱包方法。
【請求項６】
請求項１から請求項５までのいずれか一項に記載のテープ類の梱包方法において、
前記テープ類の収納始めの端部を、前記収納容器に対して前記臨む位置に仮止めしてから前記テープ類を前記収納容器内に落下させる
ことを特徴とするテープ類の梱包方法。
【請求項７】
請求項１から請求項６までのいずれか一項に記載のテープ類の梱包方法において、
前記収納容器の面の外面には、前記収納始めの端部が臨む位置を報知する印が付されている
ことを特徴とするテープ類の梱包方法。
【請求項８】
請求項７に記載のテープ類の梱包方法において、
前記収納始めの端部が位置する前記収納容器の面には、当該面の少なくとも一部を除去して開口可能とする開口形成部が設けられている
ことを特徴とするテープ類の梱包方法。
【請求項９】
請求項１から請求項８までのいずれか一項に記載のテープ類の梱包方法において、
前記テープ類は、長手方向に対する断面形状が、幅方向において非対称である
ことを特徴とするテープ類の梱包方法。
【請求項１０】
テープ類が収納容器の鉛直方向における上面の開口から内部へ落下されながら、前記収納容器の鉛直方向に沿った中心軸を中心として周回状に収納されて梱包されたテープ類梱包体から、前記テープ類を取り出すテープ類の取出方法であって、
前記テープ類梱包体は、前記テープ類の収納始めの端部および収納終わりの端部が前記収納容器の上面の開口に臨んで前記テープ類を収納したものであり、
前記テープ類梱包体の前記収納容器の上面を開口させ、前記上面の開口に臨む前記テープ類の収納始めの端部および収納終わりの端部を前記上面の開口から延出させる工程と、
前記収納容器の上面の開口から底面に亘って側面を切断して側面の開口を形成し、前記延出するテープ類の収納始めの端部および収納終わりの端部を、前記側面の開口を通して前記収納容器の底面側に移動させる工程と、
前記収納容器の上面の開口および側面の開口を閉塞して前記テープ類梱包体の天地を逆転させる工程と、
前記天地が逆転された前記テープ類梱包体の前記収納容器の上方に臨む底面を開口させ、前記収納始めの端部を取り出す工程と、を実施する
ことを特徴とするテープ類の取出方法。
【請求項１１】
テープ類が収納容器の鉛直方向における上面の開口から内部へ落下されながら、前記収納容器の鉛直方向に沿った中心軸を中心として周回状に収納されて梱包されたテープ類梱包体から、前記テープ類を取り出すテープ類の取出方法であって、
前記テープ類梱包体は、前記テープ類の収納始めの端部が前記収納容器の底面に臨んで位置し、前記テープ類の収納終わりの端部が前記収納容器の上面に臨んで位置する状態に、前記テープ類を収納したものであり、
前記テープ類梱包体の天地を逆転する工程と、
前記天地が逆転されたテープ類梱包体における前記収納容器の上方に臨む底面を開口させ、当該底面の開口に臨む前記収納始めの端部を取り出す工程と、を実施する
ことを特徴とするテープ類の取出方法。
【請求項１２】
請求項１１に記載のテープ類の取出方法において、
前記テープ類梱包体の天地を逆転する工程の前に、
前記テープ類梱包体の前記収納容器の上面を開口させ、前記上面の開口に臨む前記テープ類の収納終わりの端部を前記上面の開口から延出させる工程と、
前記収納容器の上面の開口から底面に亘って側面を切断して側面の開口を形成し、前記上面の開口から延出するテープ類の収納終わりの端部を、前記側面の開口を通して前記収納容器の底面側に移動させる工程と、
前記収納容器の上面の開口および側面の開口を閉塞する工程と、を実施する
ことを特徴とするテープ類の取出方法。
【請求項１３】
テープ類が収納容器の鉛直方向における上面の開口から内部へ落下されながら、前記収納容器の鉛直方向に沿った中心軸を中心として周回状に収納されて梱包されたテープ類梱包体から、前記テープ類を取り出すテープ類の取出方法であって、
前記テープ類梱包体は、前記テープ類の収納始めの端部が前記収納容器の側面に臨んで位置し、前記テープ類の収納終わりの端部が前記収納容器の上面に臨んで位置する状態に、前記テープ類を収納したものであり、
前記収納容器の側面を開口させ、前記テープ類の収納始めの端部を外部に延出させる工程と、
前記側面から延出する収納始めの端部を、前記テープ類梱包体の底面側に移動させる工程と、
前記テープ類梱包体の天地を逆転させる工程と、
前記天地が逆転されたテープ類梱包体における収納容器の上方に臨む底面を開口させ、前記収納容器の側面の開口から延出された前記テープ類の収納始めの端部を、前記開口された上方に臨む底面から延出させて、前記収納始めの端部を取り出す工程と、を実施する
ことを特徴とするテープ類の取出方法。
【請求項１４】
請求項１３に記載のテープ類の取出方法において、
前記テープ類梱包体の天地を逆転させる工程の前に、
前記テープ類梱包体の前記収納容器の上面を開口させ、前記上面の開口に臨む前記テープ類の収納終わりの端部を前記上面の開口から延出させる工程と、
前記上面の開口から延出された収納終わりの端部を、前記収納始めの端部が延出する収納容器の側面の開口を通して、前記テープ類梱包体の底面側に移動させる工程と、を実施するとともに、
前記開口された上面に臨む底面から、前記収納始めの端部とともに、前記底面側に移動された収納終わりの端部を延出させる工程を実施する
ことを特徴とするテープ類の取出方法。
【請求項１５】
テープ類が収納容器の鉛直方向における上面の開口から内部へ落下されながら、前記収納容器の鉛直方向に沿った中心軸を中心として周回状に収納されて梱包されたテープ類梱包体から、前記テープ類を取り出すテープ類の取出方法であって、
前記テープ類梱包体は、前記テープ類の収納始めの端部および収納終わりの端部がそれぞれ前記収納容器の側面に臨んで位置する状態に、前記テープ類を収納したものであり、
前記収納容器の側面を開口させ、前記テープ類の収納始めの端部および収納終わりの端部のそれぞれを外部に延出させる工程と、前記側面から延出する収納始めの端部および収納終わりの端部を、前記テープ類梱包体の上面側にそれぞれ移動させる工程と、前記収納容器の上面を開口させ、前記収納容器の側面の開口から延出された前記収納始めの端部および収納終わりの端部を、前記開口された上面から延出させる工程と、を実施、または、
前記収納容器の側面を開口させ、前記テープ類の収納始めの端部および収納終わりの端部のそれぞれを外部に延出させる工程と、前記側面から延出する収納始めの端部および収納終わりの端部を、前記テープ類梱包体の底面側にそれぞれ移動させる工程と、前記テープ類梱包体の天地を逆転させる工程と、前記天地が逆転されたテープ類梱包体における収納容器の上方に臨む底面を開口させ、前記収納容器の側面の開口から延出された前記収納始めの端部および収納終わりの端部を、前記開口された上方に臨む底面から延出させる工程と、を実施する
ことを特徴とするテープ類の取出方法。
【請求項１６】
請求項１０から請求項１５までのいずれか一項に記載のテープ類の取出方法において、
前記テープ類は、長手方向に対する断面形状が、幅方向において非対称である
ことを特徴とするテープ類の取出方法。
【発明の詳細な説明】
【技術分野】
【０００１】
本発明は、テープ類の梱包方法およびテープ類の取出方法に関する。
【背景技術】
【０００２】
近年、被包装物を収納する袋体を開封した後、再封止可能としたジッパーテープ付袋体が広く利用されている。
このようなジッパーテープ付袋体に利用されるジッパーテープは、製袋時に供給される仕様として、ドラムに巻回されたいわゆるドラム仕様と、例えば特許文献１，２に記載のように、段ボール箱内にジッパーテープを落下させながら収納して梱包するいわゆるバラ仕様とが知られている。
【先行技術文献】
【特許文献】
【０００３】
【特許文献１】特開平１１−２４０５２１号公報
【特許文献２】特開２０１０−７０２１８号公報
【発明の概要】
【発明が解決しようとする課題】
【０００４】
ここで、特許文献１，２に記載のようなバラ仕様では、例えば図１に示すように、収納を開始するジッパーテープＺの収納始めの端部Ｚ１が、段ボール箱Ｙの上面の開口Ｙ１から引き出された状態で、ジッパーテープＺが順次落下されて収納される。そして、ジッパーテープＺの収納終わりＺ２の端部も、段ボール箱Ｙの上面の開口Ｙ１から引き出され、収納始めの端部Ｚ１と、収納終わりの端部Ｚ２とに異なる目印が付されて梱包される。この梱包されたジッパーテープＺを用いて製袋する場合、ジッパーテープＺの引き出されている収納始めの端部Ｚ１が、他のバラ仕様の収納終わりの端部Ｚ２と繋ぎ合わされ、連続的にジッパーテープＺを製袋機へ供給できるようにしている。この後、ジッパーテープＺの収納終わりの端部Ｚ２から製袋機に供給され、収納されたジッパーテープＺの上から順次取り出される。
【０００５】
そして、例えば図２に示すように、雄部材Ｚ３の爪形状が非対称のものなど、断面形状が非対称となるジッパーテープＺを用いて製袋した場合、製袋方法や製袋機の特性などにより、製袋されたジッパーテープ付袋体Ｘは、異なる特性のものとなる。
具体的には、雄部材Ｚ３が図面上側に位置した状態で、ジッパーテープ付袋体Ｘの図面右側が開封される側となるトップシールＸ１が位置する形態（図２（Ａ）参照）と、その反対の図面左側にトップシールＸ１が位置する形態（図２（Ｂ）参照）との異なる形態となる。
これら異なるジッパーテープ付袋体Ｘは、雄部材Ｚ３の爪形状が断面非対称であることから、係合する雄部材Ｚ３および雌部材Ｚ４の係合解除性や耐内圧特性などの特性が全く異なる。すなわち、図２（Ａ）に示すジッパーテープ付袋体Ｘでは、トップシールＸ１側が開口され、開口側から雄部材Ｚ３および雌部材Ｚ４の係合を容易に解除できるとともに、内圧が高くなった場合には、雄部材Ｚ３および雌部材Ｚ４が強く係合して、不用意に開封してしまうことを防止できる。一方、図２（Ｂ）に示すジッパーテープ付袋体Ｘでは、トップシールＸ１側が開口され、開口側から雄部材Ｚ３および雌部材Ｚ４の係合を解除しようとすると、雄部材Ｚ３および雌部材Ｚ４が強く係合して開封できない。このように、製袋されたジッパーテープ付袋体の開封挙動が変わってしまう。
このため、従来では、図２（Ａ）に示す形態に製袋するために、ジッパーテープＺの収納終わりの端部Ｚ２を供給する右仕様の梱包品と、図２（Ｂ）に示す形態に製袋するために、ジッパーテープＺの収納終わりの端部Ｚ２を供給する左仕様の梱包品と、異なる２種類の仕様で梱包している。そして、製袋時に梱包の右仕様（Ｒ仕様とも称される）と左仕様（Ｌ仕様とも称される）とが適宜選択されて利用されている。
【０００６】
本発明は、このような点に鑑みて、梱包の仕様を変更可能なテープ類の梱包方法およびテープ類の取出方法を提供することを目的とする。
【課題を解決するための手段】
【０００７】
本発明のテープ類の梱包方法は、テープ類を収納容器の鉛直方向における上面の開口から内部へ落下させながら、前記収納容器の鉛直方向に沿った中心軸を中心として周回状に収納して梱包するテープ類の梱包方法であって、前記テープ類の収納始めの端部は、前記テープ類の収納終わりの端部が位置される前記収納容器の上面の開口とは異なる面に臨んで位置させることを特徴とする。
【０００８】
この発明では、テープ類の収納始めの端部を収納容器の上面の開口とは異なる面に臨む位置に位置させ、テープ類の収納終わりの端部を収納容器の上面の開口に位置させて収納させる。
このことから、上面の開口からテープ類を収納終わりの端部側から取り出す場合と、収納容器の上面の開口とは異なり収納始めの端部が位置する面を、鉛直方向の上方に臨ませ、テープ類を収納始めの端部側から取り出す場合では、例えばテープ類を用いて製袋された袋体が、いわゆる左仕様および右仕様の異なる仕様となる。このため、テープ類を取り出す端部側により、一つの梱包形態でも仕様を変更でき、それぞれ異なる仕様に梱包する必要がなく、部品点数を低減できる。
【０００９】
ここで、収納容器の上面開口とは異なる面とは、収納容器の底面と側面とのいずれかである。
また、いわゆる左仕様および右仕様は、断面が非対称のテープ類を用いて製袋するなど、被取付物にテープ類を取り付けた状態が対称線で異なる仕様をいう。
【００１０】
そして、本発明では、前記テープ類の収納始めの端部は、前記収納容器の底面に臨んで位置させる構成とすることもできる。
この発明では、テープ類が収納された収納容器の上面を上方に臨む状態とすることで、収納終わりの端部が収納容器の上面に位置して容易に取り出せる。一方、収納容器の底面を上方に臨む状態に天地を逆転させることで、収納始めの端部が収納容器の上面に位置して容易に取り出せる状態となる。
このため、テープ類が収納された収納容器の天地を逆転させるのみで、収納容器の上面からテープ類を順次取り出しできる端部側を、一つの梱包形態で選択できる。よって、例えば、断面が非対称のテープ類の場合、製袋するいわゆる左仕様および右仕様を、収納容器の天地を逆転させるのみで容易に変更できる。
【００１１】
また、本発明では、前記テープ類の収納始めの端部は、前記収納容器の側面に臨んで位置させる構成とすることもできる。
この発明では、テープ類の収納終わりの端部を収納容器の上面から順次取り出す場合には、テープ類が収納された収納容器の上面を開口させる。一方、テープ類の収納始めの端部を取り出す場合には、テープ類の収納始めの端部が位置する側面を上方に臨む状態に位置させる。
このように、テープ類が収納された収納容器を、上面が上方に臨む状態と、側面が上方に臨む状態に位置させるのみで、収納容器の上面からテープ類を順次取り出しできる端部側を、一つの梱包形態で選択できる。よって、例えば、断面が非対称のテープ類の場合、製袋するいわゆる左仕様および右仕様を、収納容器の載置される姿勢を変更させるのみで容易に変更できる。
【００１２】
本発明のテープ類の梱包方法は、テープ類を収納容器の鉛直方向における上面の開口から内部へ落下させながら、前記収納容器の鉛直方向に沿った中心軸を中心として周回状に収納して梱包するテープ類の梱包方法であって、前記テープ類の収納始めの端部および収納終わりの端部を、前記収納容器の側面にそれぞれ臨んで位置させることを特徴とする。
【００１３】
この発明では、テープ類の収納始めの端部を収納容器の側面に位置させた後、テープ類を収納容器内に落下させながら、収納容器の鉛直方向に沿った中心軸を中心として周回状に収納し、収納終わりの端部を収納容器の側面に位置させて梱包している。
そして、テープ類の収納終わりの端部を収納容器の上面から順次取り出す場合には、例えば、収納終わりの端部が臨む側面を開口させて収納終わりの端部を側面から引き出し、収納容器の開口させた上面に移動させる。一方、テープ類の収納始めの端部を収納容器の上面から順次取り出す場合には、収納容器の天地を逆転させ、収納始めの端部が臨む側面を開口させて収納始めの端部を側面から引き出し、収納容器の上方に臨み開口された上面に移動させればよい。
このように、テープ類が収納された収納容器の載置される姿勢を変更させるのみで、収納容器の上面から順次取り出せるテープ類の端部側を選択できる。したがって、例えばテープ類を用いて製袋された袋体が、取り出す端部側により、いわゆる左仕様および右仕様の異なる仕様となる。このため、テープ類を取り出す端部側により、一つの梱包形態でも仕様を変更でき、それぞれ異なる仕様に梱包する必要がなく、部品点数を低減できる。
【００１４】
そして、本発明では、前記テープ類の収納始めの端部および収納終わりの端部を、前記収納容器の同一側面にそれぞれ臨んで位置させる構成とすることもできる。
この発明では、テープ類の端部が位置する収納容器の側面を開口させ、テープ類の端部を外部に臨ませる。そして、テープ類の収納終わりの端部を収納容器の上面から順次取り出す場合には、側面に臨む収納終わりの端部を収納容器の開口させた上面に移動させる。一方、テープ類の収納始めの端部を収納容器の上面から順次取り出す場合には、収納容器の天地を逆転させるとともに、側面の開口から臨む収納始めの端部を収納容器の上方に臨み開口された上面に移動させる。
このように、テープ類の両端部を同一の側面にそれぞれ位置させることで、開口した側面にテープ類の両端部がそれぞれ臨むため、いわゆる左仕様および右仕様の選択が容易にできる。
【００１５】
また、本発明では、前記テープ類の収納始めの端部を、前記収納容器に対して前記臨む位置に仮止めしてから前記テープ類を前記収納容器内に落下させる構成とすることもできる。
この発明では、テープ類の収納始めの端部を、収納容器に対して臨ませる位置に仮止めした後、テープ類を収納容器内に落下して収納させることで、テープ類の収納始めの端部を、収納容器の所定の位置に位置決めできる。このことにより、収納始めの端部が位置する位置で収納容器を開口させることで、収納始めの端部を容易に取り出しできる。
【００１６】
さらに、本発明では、前記収納容器の面の外面には、前記収納始めの端部が臨む位置を報知する印が付されている構成とすることもできる。
この発明では、収納始めの端部が臨む位置が、収納容器に設けられた印により、収納容器の外面から容易に判定でき、収納始めの端部の取り出しが容易にできる。
【００１７】
また、本発明では、前記収納始めの端部が位置する前記収納容器の面には、当該面の少なくとも一部を除去して開口可能とする開口形成部が設けられている構成とすることもできる。
この発明では、収納容器の上面の開口に位置しない収納始めの端部でも、開口形成部にて収納容器に開口を形成させることで、収納始めの端部が外部に臨み、収納始めの端部を容易に取り出しできる。
ここで、収納容器の面の少なくとも一部の除去とは、切断の他、予め形成した開口を塞ぐ封止部材の除去など、収納容器に開口を形成させるいずれの方法が適用できる。
また、開口形成部としては、例えばカットテープを用いて収納容器を切断したり、いわゆるミシン目と称される破線状の穴である目打ちとしたり、予め形成した収納容器の開口を塞ぐ蓋や粘着シートなどの封止部材などが適用できる。
【００１８】
そして、本発明では、本発明のテープ類の梱包方法において、前記テープ類は、長手方向に対する断面形状が、幅方向において非対称である構成とすることもできる。
この発明では、断面が非対称のテープ類において、例えば製袋時に供給するテープ類の端部が収納始めの端部または収納終わりの端部により、製袋された形態が異なる。このことにより、いわゆる左仕様および右仕様を、供給する端部により容易に変更できることから、所望の形態に容易に製袋できる。
【００１９】
本発明のテープ類の取出方法は、テープ類が収納容器の鉛直方向における上面の開口から内部へ落下されながら、前記収納容器の鉛直方向に沿った中心軸を中心として周回状に収納されて梱包されたテープ類梱包体から、前記テープ類を取り出すテープ類の取出方法であって、前記テープ類梱包体は、前記テープ類の収納始めの端部および収納終わりの端部が前記収納容器の上面の開口に臨んで前記テープ類を収納したものであり、前記テープ類梱包体の前記収納容器の上面を開口させ、前記上面の開口に臨む前記テープ類の収納始めの端部および収納終わりの端部を前記上面の開口から延出させる工程と、前記収納容器の上面の開口から底面に亘って側面を切断して側面の開口を形成し、前記延出するテープ類の収納始めの端部および収納終わりの端部を、前記側面の開口を通して前記収納容器の底面側に移動させる工程と、前記収納容器の上面の開口および側面の開口を閉塞して前記テープ類梱包体の天地を逆転させる工程と、前記天地が逆転された前記テープ類梱包体の前記収納容器の上方に臨む底面を開口させ、前記収納始めの端部を取り出す工程と、を実施することを特徴とする。
【００２０】
この発明では、収納されたテープ類の収納終わりの端部から取り出して供給する場合、収納容器の天地を逆転させることなく、収納容器の上面に位置する収納終わりの端部を上面から順次取り出す。
一方、収納されたテープ類の収納始めの端部から取り出して供給する場合、収納容器の上面開口から底面に亘って側面を切断し、収納容器の上面に臨む収納始めの端部を、切断した側面開口から底面側に移動させ、収納容器の天地を逆転する。そして、上面側となった移動させた収納始めの端部を上面側―から順次取り出す。
このことから、供給するテープ類の端部側に応じて、収納容器の天地を適宜逆転させることで、上面側から容易に取り出しできる。このため、製袋時などに供給する端部側を容易に選択でき、いわゆる左仕様および右仕様を容易に変更できることから、製袋などのテープ類を用いる製造の効率を向上できる。
なお、端部を引き出す工程の後に端部を移動させる工程を実施し、天地を逆転させる工程を実施する場合の他、端部を引き出す工程の後に天地を逆転させる工程を実施し、端部を移動させる工程を実施するなど、工程の順番は適宜変更できる。
【００２１】
本発明のテープ類の取出方法は、テープ類が収納容器の鉛直方向における上面の開口から内部へ落下されながら、前記収納容器の鉛直方向に沿った中心軸を中心として周回状に収納されて梱包されたテープ類梱包体から、前記テープ類を取り出すテープ類の取出方法であって、前記テープ類梱包体は、前記テープ類の収納始めの端部が前記収納容器の底面に臨んで位置し、前記テープ類の収納終わりの端部が前記収納容器の上面に臨んで位置する状態に、前記テープ類を収納したものであり、前記テープ類梱包体の天地を逆転する工程と、前記天地が逆転されたテープ類梱包体における前記収納容器の上方に臨む底面を開口させ、当該底面の開口に臨む前記収納始めの端部を取り出す工程と、を実施することを特徴とする。
【００２２】
この発明では、収納されたテープ類の収納終わりの端部から取り出して供給する場合、収納容器の天地を逆転させることなく、収納容器の上面に位置する収納終わりの端部を上面から順次取り出して供給する。一方、収納始めの端部から供給する場合には、収納容器の天地を逆転し、上面側となった収納始めの端部を上面から順次取り出して供給する。
このことから、供給するテープ類の端部側に応じて、収納容器の天地を適宜逆転させるのみで、供給するテープ類の端部を上面側から容易に取り出しできる。このため、製袋時などに供給する端部側を容易に選択でき、いわゆる左仕様および右仕様を容易に変更できることから、製袋などのテープ類を用いる製造の効率を向上できる。
【００２３】
そして、本発明では、前記テープ類梱包体の天地を逆転する工程の前に、前記テープ類梱包体の前記収納容器の上面を開口させ、前記上面の開口に臨む前記テープ類の収納終わりの端部を前記上面の開口から延出させる工程と、前記収納容器の上面の開口から底面に亘って側面を切断して側面の開口を形成し、前記上面の開口から延出するテープ類の収納終わりの端部を、前記側面の開口を通して前記収納容器の底面側に移動させる工程と、前記収納容器の上面の開口および側面の開口を閉塞する工程と、を実施する構成とすることもできる。
この発明では、テープ類梱包体の天地を逆転する工程の前に、上面の開口に臨む収納終わりの端部を底面側に移動させておくことで、例えば収納始めの端部側から取り出して供給する場合、収納終わりの端部に、他の収納容器に収納されたテープ類の収納始めの端部を繋ぎ合わせることができる。このことにより、テープ類の連続供給が容易にできる。
【００２４】
本発明のテープ類の取出方法は、テープ類が収納容器の鉛直方向における上面の開口から内部へ落下されながら、前記収納容器の鉛直方向に沿った中心軸を中心として周回状に収納されて梱包されたテープ類梱包体から、前記テープ類を取り出すテープ類の取出方法であって、前記テープ類梱包体は、前記テープ類の収納始めの端部が前記収納容器の側面に臨んで位置し、前記テープ類の収納終わりの端部が前記収納容器の上面に臨んで位置する状態に、前記テープ類を収納したものであり、前記収納容器の側面を開口させ、前記テープ類の収納始めの端部を外部に延出させる工程と、前記側面から延出する収納始めの端部を、前記テープ類梱包体の底面側に移動させる工程と、前記テープ類梱包体の天地を逆転させる工程と、前記天地が逆転されたテープ類梱包体における収納容器の上方に臨む底面を開口させ、前記収納容器の側面の開口から延出された前記テープ類の収納始めの端部を、前記開口された上方に臨む底面から延出させて、前記収納始めの端部を取り出す工程と、を実施することを特徴とする。
【００２５】
この発明では、収納されたテープ類の収納終わりの端部から取り出して供給する場合、収納容器の天地を逆転させることなく、収納容器の上面に位置する収納終わりの端部を上面から順次取り出す。
一方、収納されたテープ類の収納始めの端部から取り出して供給する場合、収納容器の側面を開口して収納始めの端部を延出させ、収納容器の底面側へ移動させ、収納容器の天地を逆転する。そして、天地逆転により上面側となった底面を開口させ、側面から延出する収納始めの端部を上面側となった底面に移動して延出させ、上面側から順次取り出す。
このことから、供給するテープ類の端部側に応じて、収納容器の天地を適宜逆転させることで、上面側から容易に取り出しできる。このため、製袋時などに供給する端部側を容易に選択でき、いわゆる左仕様および右仕様を容易に変更できることから、製袋などのテープ類を用いる製造の効率を向上できる。
なお、側面から収納始めの端部を延出した後に収納容器を天地逆転し、側面から延出する収納始めの端部を上面側となった底面側に移動させ、底面を開口させて取り出したり、側面から収納始めの端部を延出した後に収納容器を天地逆転し、上面側となった底面を開口させた後に側面から延出する収納始めの端部を底面の開口へ移動させて取り出したりするなど、工程の順番は適宜変更できる。
【００２６】
そして、本発明では、前記テープ類梱包体の天地を逆転させる工程の前に、前記テープ類梱包体の前記収納容器の上面を開口させ、前記上面の開口に臨む前記テープ類の収納終わりの端部を前記上面の開口から延出させる工程と、前記上面の開口から延出された収納終わりの端部を、前記収納始めの端部が延出する収納容器の側面の開口を通して、前記テープ類梱包体の底面側に移動させる工程と、を実施するとともに、前記開口された上面に臨む底面から、前記収納始めの端部とともに、前記底面側に移動された収納終わりの端部を延出させる工程を実施する構成とすることもできる。
この発明では、テープ類梱包体の天地を逆転する工程の前に、上面の開口に臨む収納終わりの端部を底面側に移動させておくことで、例えば収納始めの端部側から取り出して供給する場合、収納終わりの端部に、他の収納容器に収納されたテープ類の収納始めの端部を繋ぎ合わせることができる。このことにより、テープ類の連続供給が容易にできる。
【００２７】
本発明のテープ類の取出方法は、テープ類が収納容器の鉛直方向における上面の開口から内部へ落下されながら、前記収納容器の鉛直方向に沿った中心軸を中心として周回状に収納されて梱包されたテープ類梱包体から、前記テープ類を取り出すテープ類の取出方法であって、前記テープ類梱包体は、前記テープ類の収納始めの端部および収納終わりの端部がそれぞれ前記収納容器の側面に臨んで位置する状態に、前記テープ類を収納したものであり、前記収納容器の側面を開口させ、前記テープ類の収納始めの端部および収納終わりの端部のそれぞれを外部に延出させる工程と、前記側面から延出する収納始めの端部および収納終わりの端部を、前記テープ類梱包体の上面側にそれぞれ移動させる工程と、前記収納容器の上面を開口させ、前記収納容器の側面の開口から延出された前記収納始めの端部および収納終わりの端部を、前記開口された上面から延出させる工程と、を実施、または、前記収納容器の側面を開口させ、前記テープ類の収納始めの端部および収納終わりの端部のそれぞれを外部に延出させる工程と、前記側面から延出する収納始めの端部および収納終わりの端部を、前記テープ類梱包体の底面側にそれぞれ移動させる工程と、前記テープ類梱包体の天地を逆転させる工程と、前記天地が逆転されたテープ類梱包体における収納容器の上方に臨む底面を開口させ、前記収納容器の側面の開口から延出された前記収納始めの端部および収納終わりの端部を、前記開口された上方に臨む底面から延出させる工程と、を実施することを特徴とする。
【００２８】
この発明では、まず、収納容器の側面を開口させて、収納始めの端部および収納終わりの端部をそれぞれ外部に延出する。
そして、収納終わりの端部から取り出して供給する場合、側面の開口から延出する収納始めの端部および収納終わりの端部を収納容器の上面側に移動させ、開口する上面からそれぞれ延出し、収納終わりの端部を取り出して供給する。ここで、側面の開口から延出した収納始めの端部および収納終わりの端部を、上面側に移動させた後に上面を開口させたり、上面を開口させた後に上面側に移動させたり、工程の順番は適宜変更できる。
一方、収納始めの端部から取り出して供給する場合、側面から延出する収納始めの端部および収納終わりの端部を、収納容器の底面側に移動させた後に収納容器の天地を逆転、もしくは収納容器の天地を逆転させた後に収納容器の底面側に移動させ、開口させた上面側となった底面からそれぞれ延出させ、収納始めの端部を取り出して供給する。ここで、側面から端部をそれぞれ延出した後に収納容器を天地逆転し、側面から延出する端部を上面側となった底面側にそれぞれ移動させ、底面を開口させて取り出したり、側面から端部をそれぞれ延出した後に収納容器を天地逆転し、上面側となった底面を開口させた後に側面から延出する収納始めの端部を底面の開口へ移動させて取り出したりするなど、工程の順番は適宜変更できる。
このことから、供給するテープ類の端部側に応じて、収納容器の天地を適宜逆転させることで、上面側から容易に取り出しできる。このため、製袋時などに供給する端部側を容易に選択でき、いわゆる左仕様および右仕様を容易に変更できることから、製袋などのテープ類を用いる製造の効率を向上できる。また、取り出さない端部側には、連続供給のための他のテープ類の端部を繋ぎ合わせればよく、連続供給のための繋ぎ合わせも上面側から容易に作業できる。
【００２９】
そして、本発明では、本発明のテープ類の取出方法において、前記テープ類は、長手方向に対する断面形状が、幅方向において非対称である構成とすることもできる。
この発明では、断面が非対称のテープ類において、例えば製袋時に供給するテープ類の端部が収納始めの端部または収納終わりの端部により、製袋された形態が異なる。このことにより、いわゆる左仕様および右仕様を、供給する端部により容易に変更できることから、所望の形態に容易に製袋できる。
【図面の簡単な説明】
【００３０】
【図１】本発明の前提となる技術におけるジッパーテープの梱包体を示す斜視図。
【図２】本発明の前提となる技術におけるジッパーテープ付袋体の仕様を説明する図で、（Ａ）はいわゆる右仕様の断面図、（Ｂ）はいわゆる左仕様の断面図。
【図３】本発明の第一実施形態におけるジッパーテープ付袋体を示す平面図。
【図４】前記ジッパーテープ付袋体の断面図。
【図５】前記ジッパーテープ付袋体の製造装置を示す概略斜視図。
【図６】前記第一実施形態のジッパーテープの梱包体からジッパーテープを取り出す動作を示す説明図で、（Ａ）はジッパーテープの梱包体を示す斜視図、（Ｂ）は上面を開口させた梱包体を示す斜視図、（Ｃ）はジッパーテープの端部を移動させた梱包体を示す斜視図。
【図７】前記第一実施形態のジッパーテープの梱包体からジッパーテープを取り出す動作を示す説明図で、（Ｄ）は開口を封止した梱包体を示す斜視図、（Ｅ）は天地を逆転させた梱包体を示す斜視図、（Ｆ）は底面を開口させた梱包体を示す斜視図。
【図８】本発明の第二実施形態におけるジッパーテープの梱包体からジッパーテープを取り出す動作を示す説明図で、（Ａ）はジッパーテープの梱包体を示す斜視図、（Ｂ）は上面を開口させた梱包体を示す斜視図、（Ｃ）はジッパーテープの収納終わりの端部を移動させた梱包体を示す斜視図。
【図９】前記第二実施形態のジッパーテープの梱包体からジッパーテープを取り出す動作を示す説明図で、（Ｄ）は開口を封止した梱包体を示す斜視図、（Ｅ）は天地を逆転させた梱包体を示す斜視図、（Ｆ）は底面を開口させた梱包体を示す斜視図。
【図１０】本発明の第三実施形態におけるジッパーテープの梱包体からジッパーテープをＬ仕様で取り出す動作を示す説明図で、（Ａ）はジッパーテープの梱包体を示す斜視図、（Ｂ）は上面を開口させた梱包体を示す斜視図。
【図１１】前記第三実施形態のジッパーテープの梱包体からジッパーテープをＬ仕様で取り出す動作を示す説明図で、（Ｃ）はジッパーテープの収納始めの端部を側面の開口から延出させた梱包体を示す斜視図、（Ｄ）はジッパーテープの収納終わりの端部を上面の開口に移動させた梱包体を示す斜視図。
【図１２】前記第三実施形態のジッパーテープの梱包体からＲ仕様でジッパーテープを取り出す動作を示す説明図で、（Ａ）はジッパーテープの梱包体を示す斜視図、（Ｂ）は上面を開口させた梱包体を示す斜視図、（Ｃ）はジッパーテープの収納始めおよび収納終わりの端部を、それぞれ側面の開口から延出させた梱包体を示す斜視図。
【図１３】前記第三実施形態のジッパーテープの梱包体からジッパーテープをＲ仕様で取り出す動作を示す説明図で、（Ｄ）は開口を封止した梱包体を示す斜視図、（Ｅ）は天地を逆転させた梱包体を示す斜視図、（Ｆ）は底面を開口させた梱包体を示す斜視図。
【図１４】本発明のさらに他の実施形態における梱包体を示す斜視図。
【図１５】本発明のさらに他の実施形態を示し、（Ａ）は梱包体を示す斜視図、（Ｂ）は上面を開口した段ボール箱を示す斜視図。
【図１６】本発明のさらに他の実施形態のジッパーテープ付袋体を示す断面図。
【図１７】本発明のさらに他の実施形態のジッパーテープ付袋体を示す断面図。
【発明を実施するための形態】
【００３１】
以下、本発明の実施形態を図面に基づいて説明する。
本実施形態では、テープ類としてジッパーテープを例示するが、これに限らず、開封用のテープ、面ファスナー、防虫や脱酸素などの機能性のテープなど、テープ状のものであればよい。また、ジッパーテープなどのように、断面形状が非対称のものに限られない。
【００３２】
［第一実施形態］
＜ジッパーテープ付袋体の構成＞
図３は、ジッパーテープ付袋体の平面を示す。図４は、ジッパーテープ付袋体の断面を示す。
【００３３】
図３，４に示すように、ジッパーテープ付袋体１は、食品、薬品、医療品、文具、雑貨などの各種物品を包装する袋体で、袋本体１０と、袋本体１０の内面に接合、例えばヒートシールされたジッパーテープ２０とを備えている。
なお、袋本体１０とジッパーテープ２０との接合としては、ヒートシールに限らず、超音波による溶着、接着剤などを用いた接着など、各種方法を利用できる。
【００３４】
（袋本体の構成）
袋本体１０は、フィルムである基材フィルム１１が２枚重ね合わされ、重なり合う周縁に、一対の接合部であるサイドシール部１２とトップシール部１３が形成される。
なお、２枚の基材フィルム１１により製袋されたものに限らない。例えば、１枚の基材フィルムが折り返されて重ね合わされ、重なり合う周縁部分を接合して製袋するなど、三方製袋法、四方製袋法、ピロー式製袋法、回転ドラム式製袋方法など、各種製袋方法にて形成される構成に適用できる。
そして、袋本体１０は、トップシール部１３に沿ってジッパーテープ２０が取り付けられ、ジッパーテープ２０を取り付ける内部に、被包装物を収納する収納空間１４を区画形成している。袋本体１０は、トップシール部１３が切除されて開封された縁が、ジッパーテープ２０にて再封止される図示しない開口部の縁となる。なお、袋本体１０は、下部に開口する図示しない投入口から被包装物が収納された後、ボトムシール部１５が形成されて封止される。
【００３５】
（ジッパーテープの構成）
ジッパーテープ２０は、図４に示すように、雄部材２１および雌部材２２を備えている。ジッパーテープ２０は、袋本体１０の開口部、すなわちトップシール部１３が設けられる基材フィルム１１の縁に沿って、取り付けられている。
雄部材２１は、長手帯状に形成された雄側帯状基部２１Ａと、雄側帯状基部２１Ａに長手方向に沿って設けられ、壁状に突出する断面が鉤状に突出する雄部２１Ｂと、を有している。雄部２１Ｂは、トップシール部１３側に突出する断面山形状の爪部２１Ｂ１と、収納空間１４側に突出する断面鉤形状の鉤部２１Ｂ２とを備えている。
雌部材２２は、雄部材２１と同様に、長手帯状に形成された雌側帯状基部２２Ａと、雌側帯状基部２２Ａに長手方向に沿って設けられ、断面が凹状で雄部２１Ｂが係合可能に突出する雌部２２Ｂと、を有している。
【００３６】
そして、ジッパーテープ付袋体１は、図４において、ジッパーテープ２０の雄部材２１が図面上側に位置した状態で、ジッパーテープ付袋体１の図面左側が開封される側のトップシール部１３が位置する形態、いわゆるＬ仕様で製造されている。このＬ仕様のジッパーテープ付袋体１は、雄部２１Ｂの断面非対称な形状により、トップシール部１３を除去した開封後のジッパーテープ付袋体１において、雄部２１Ｂおよび雌部２２Ｂの係合解除が容易である。また、ジッパーテープ付袋体１の収納空間１４の内圧が高まっても、雄部２１Ｂおよび雌部２２Ｂの係合が解除されにくい。このように、図４に示すいわゆるＬ仕様のジッパーテープ付袋体１は、易開封で高封止性の特性を示す。
【００３７】
＜ジッパーテープ付袋体の製造＞
次に、上記いわゆるＬ仕様のジッパーテープ付袋体１を製造する動作について、図面を参照して説明する。ここでは、いわゆるＬ仕様のジッパーテープ付袋体１を製造する構成を例示するが、いわゆるＲ仕様のジッパーテープ付袋体１を製造してもよい。この場合には、梱包体６として、いわゆるＲ仕様でジッパーテープ２０が梱包されたものを用いればよい。
図５は、ジッパーテープ付袋体の製造装置を示す概略斜視図である。図６は、ジッパーテープの梱包体からジッパーテープを取り出す動作を示す説明図である。（Ａ）は、ジッパーテープの梱包体を示す斜視図、（Ｂ）は、上面を開口させた梱包体を示す斜視図、（Ｃ）は、ジッパーテープの端部を移動させた梱包体を示す斜視図である。図７は、ジッパーテープの梱包体からジッパーテープを取り出す動作を示す説明図である。（Ｄ）は、開口を封止した梱包体を示す斜視図、（Ｅ）は、天地を逆転させた梱包体を示す斜視図、（Ｆ）は、底面を開口させた梱包体を示す斜視図である。
なお、ジッパーテープ付袋体１の製造として三方製袋法を例示するが、種々の方法を採用することができる。
【００３８】
（製造装置）
図５に示す製造装置５は、いわゆる三方製袋機を基本構成とするいわゆる二丁取りの装置で、二対の雄部材２１および雌部材２２を基材フィルム１１に接合し、二つのジッパーテープ付袋１Ａを製袋するものである。
ここで、ジッパーテープ２０は、雄部材２１の雄部２１Ｂおよび雌部材２２の雌部２２Ｂが係合された状態で、いわゆるバラ仕様で梱包された２つの梱包体６（図６，７参照）から、それぞれ製造装置５に供給されて基材フィルム１１に接合される。
そして、製造装置５は、フィルム巻取ロール１１１から基材フィルム１１を送り出すフィルム送出装置５１と、梱包体６からジッパーテープ２０を送り出す一対のテープ送出装置５２Ａ，５２Ｂと、ジッパーテープ２０を基材フィルム１１にそれぞれヒートシールし、基材フィルム１１からジッパーテープ付袋体１を形成させる製袋装置５４と、などを備えている。
製袋装置５４は、基材フィルム１１とジッパーテープ２０とをヒートシールする一対のシールバー５４１と、トップシール部１３を形成するトップシールバー５４３と、サイドシール部１２を形成するサイドシールバー５４４と、ジッパーテープ２０間で切断する第一切断部５４５と、サイドシール部１２毎に切断し、トップシール部１３とサイドシール部１２との三方がヒートシールされたジッパーテープ付袋１Ａを得る第二切断部５４６と、を備えている。
【００３９】
（梱包体の構成）
そして、テープ送出装置５２Ａ，５２Ｂで用いる梱包体６は、図６，７に示すように、収納容器である段ボール箱６１内に、ジッパーテープ２０が落下されながら収納されたものである。
この梱包体６は、段ボール箱６１と、段ボール箱６１内に収容されたビニール袋６２と、段ボール箱６１内の底部に対角線状に配置された支持板６３と、支持板６３の中央に、軸方向が段ボール箱６１の鉛直方向の中心軸に沿って立設された円筒状の芯部材６４と、ビニール袋６２内に芯部材６４を軸として周回状に収納されたジッパーテープ２０と、を備えている。
この梱包体６は、図６（Ｂ）に示すように、ジッパーテープ２０の収納始めの端部２０Ａが、段ボール箱６１の上面開口６１Ａ１から導出されたビニール袋６２の開口縁６２Ａの近傍に、収納始めを示す表示が施された粘着テープ６５Ａにて予め仮止めされている。この仮止めの状態は、粘着テープ６５Ａが接着される側がジッパーテープ２０の雄部材２１側となるようになっている。この状態で、ジッパーテープ２０が段ボール箱６１内に落下されつつ、芯部材６４を軸として周回状に収納されている。そして、ジッパーテープ２０の収納終わりの端部２０Ｂは、収納始めの端部２０Ａと同様に、収納終わりを示す表示が施された粘着テープ６５Ｂにて仮止めされている。そして、梱包体６は、図６（Ａ）に示すように、段ボール箱６１の上面開口６１Ａ１が封止され、ジッパーテープ２０が梱包されている。なお、粘着テープ６５Ａ，６５Ｂの表示は、文字などによる表示の他、色別など、端部２０Ａ，２０Ｂを差別化できるいずれの表示が適用できる。
【００４０】
なお、梱包体６は、ジッパーテープ２０の収納終わりの端部２０Ｂから、テープ送出装置５２Ａ（図５中紙面下側）でジッパーテープ２０を送り出した際、いわゆるＬ仕様で製袋される状態で梱包されている。
そして、段ボール箱６１の外面には、いわゆるＬ仕様でジッパーテープ２０が梱包されていることを報知する印である仕様表示６６が設けられている。さらに、段ボール箱６１の外面には、いわゆるＬ仕様用でジッパーテープ２０を供給するため、上面開口６１Ａ１から、収納終わりの端部２０Ｂを取り出し可能であることを報知する表示、すなわち梱包状態の天地を示す印である天地表示６７が設けられている。
【００４１】
（製造方法）
そして、いわゆるＬ仕様のジッパーテープ付袋体１の製造に際しては、基材フィルム１１を送り出すフィルム送出工程と、ジッパーテープ２０をそれぞれ送り出すテープ送出工程と、ジッパーテープ２０を基材フィルム１１にヒートシールして、いわゆるＬ仕様のジッパーテープ付袋１Ａのみをいわゆる二丁取りで製袋する製袋工程と、などを実施する。
まず、フィルム送出装置５１にフィルム巻取ロール１１１を装着するとともに、一対のテープ送出装置５２Ａ，５２Ｂにジッパーテープ２０を供給可能に装着しておく。
【００４２】
ここで、ジッパーテープ２０の装着に際して、いわゆるＬ仕様用の梱包体６のみを用いる。そして、テープ送出装置５２Ａ（図５中紙面下側）には、Ｌ仕様用の梱包体６におけるジッパーテープ２０の収納終わりの端部２０Ｂを装着し、供給する状態とする。一方、テープ送出装置５２Ｂ（図５中紙面上側）には、Ｌ仕様用の梱包体６におけるジッパーテープ２０の収納始めの端部２０Ａを装着し、供給する状態とする。
テープ送出装置５２Ａに収納終わりの端部２０Ｂを装着する場合、いわゆるＬ仕様用の梱包体６の上面６１Ａを開口させ、粘着テープ６５Ｂを取り外して、ジッパーテープ２０の収納終わりの端部２０Ｂを、上面開口６１Ａ１から延出させる。この取り出した状態では、ジッパーテープ２０の端部２０Ａ，２０Ｂに、それぞれ粘着テープ６５Ａ，６５Ｂを取り付けたままとする。そして、雄部材２１側が鉛直方向の上側となる状態で送り出される状態に、収納終わりの端部２０Ｂを一方のテープ送出装置５２Ａに装着させる。
【００４３】
一方、テープ送出装置５２Ｂに収納始めの端部２０Ａを装着する場合、図６（Ａ）に示すいわゆるＬ仕様用の梱包体６について、図６（Ｂ）に示すように、梱包体６の上面６１Ａを開口させる。そして、カッターナイフやハサミなどの切断具を用い、段ボール箱６１の上面開口６１Ａ１およびビニール袋６２の開口縁６２Ａから、段ボール箱６１の底面６１Ｃ（図７（Ｄ）参照）に亘って、それぞれ側面の開口である切り込み６８Ａ（図６（Ｃ）参照）を設ける。この後、粘着テープ６５Ａ，６５Ｂをビニール袋６２からそれぞれ取り外し、図６（Ｃ）に示すように、ジッパーテープ２０の端部２０Ａ，２０Ｂを、切り込み６８Ａを通して段ボール箱６１の底面６１Ｃ側へ移動させる。なお、ジッパーテープ２０の端部２０Ａ，２０Ｂには、粘着テープ６５Ａ，６５Ｂは取り付けたままとしておく。
【００４４】
そして、図７（Ｄ）に示すように、段ボール箱６１の上面開口６１Ａ１および切り込み６８Ａを仮封止する。この仮封止の際、ジッパーテープ２０の端部２０Ａ，２０Ｂは、段ボール箱６１から延出する状態のままとする。さらに、図７（Ｅ）に示すように、梱包体６の天地を逆転させる。
この後、段ボール箱６１の上方に臨む底面６１Ｃを開口させ、切断具を用いて切り込み６８Ａを延長し、支持板６３を取り外し、図７（Ｆ）に示すように、ジッパーテープ２０の端部２０Ａ，２０Ｂを、上方に臨む底面６１Ｃの底面開口６１Ｃ１から延出させる。この状態で、収納始めの端部２０Ａから順次供給できる状態となり、いわゆるＲ仕様用の梱包体６となる。そして、この天地が逆転された梱包体６から、収納始めの端部２０Ａを他方のテープ送出装置５２Ｂに装着させる。この装着の際、雄部材２１が上方に臨む状態とする。
【００４５】
この状態で、フィルム送出工程でフィルム送出装置５１から基材フィルム１１を送り出すとともに、テープ送出工程でテープ送出装置５２Ａ，５２Ｂから、それぞれいわゆるＬ仕様用とＲ仕様用とでジッパーテープ２０を送り出す。
製袋工程では、ジッパーテープ２０の雄部材２１および雌部材２２を、基材フィルム１１に対して所定の位置に位置決めし、シールバー５４１により、ジッパーテープ２０の雄部材２１および雌部材２２を、基材フィルム１１にそれぞれヒートシールする。
この後、トップシールバー５４３によりトップシール部１３を形成する。続いて、サイドシールバー５４４により、基材フィルム１１をヒートシールしてサイドシール部１２を形成する。この後、第一切断部５４５および第二切断部５４６により切断し、トップシール部１３とサイドシール部１２との三方がシールされたジッパーテープ付袋１Ａを二丁切り出す。
そして、得られたジッパーテープ付袋１Ａに、図示しない充填装置により、被包装物を所定量投入し、被包装物を投入した縁をシールしてボトムシール部１５を形成し、被包装物が収納されたジッパーテープ付袋体１が得られる。
【００４６】
＜第一実施形態の効果＞
上述したように、上記第一実施形態では、ジッパーテープ２０の端部２０Ａ，２０Ｂが、それぞれ段ボール箱６１の上面開口６１Ａ１に臨む状態で梱包された梱包体６を用いる。そして、テープ送出装置５２Ａからジッパーテープ２０を供給する場合には、梱包体６の上面６１Ａを開口させ、開口された上面開口６１Ａ１に臨む収納終わりの端部２０Ｂを引き出して供給する。一方、テープ送出装置５２Ｂからジッパーテープ２０を供給する場合には、上面開口６１Ａ１に臨む端部２０Ａ，２０Ｂを、段ボール箱６１に設けた切り込み６８Ａを通して底面６１Ｃ側に移動させる。そして、天地を逆転させることで、ジッパーテープ２０が絡まずに収納始めの端部２０Ａから引き出せるようにし、収納始めの端部２０Ａを供給する。
ここで、一対のテープ送出装置５２Ａ，５２Ｂを備え、一つの仕様のジッパーテープ付袋１Ａをいわゆる二丁取りで製袋する製造装置５では、基材フィルム１１の送り出し方向を対称線として、対称的にジッパーテープ２０を供給する構成となっている。この二丁取りで製袋する製造装置５を用いて製袋する場合、対称的にジッパーテープ２０を供給するため、いわゆるＬ仕様用とＲ仕様用との異なる形態で梱包されたものを用いる必要がある。すなわち、一対のテープ送出装置５２Ａ，５２Ｂに、同一の梱包状体の梱包体６を用いて製袋した場合、製造されるジッパーテープ付袋１Ａは、易開封で内圧が高まっても開封しない高封止性のＬ仕様と、開封が困難となる例えば改竄防止目的のＲ仕様と、開封挙動が異なるものとなってしまう。
一方、本発明では、いわゆるＬ仕様用の梱包体６のみでも、天地を適宜逆転させ、端部２０Ａ，２０Ｂを適宜供給させている。このため、いわゆるＬ仕様とＲ仕様とが対称的に製造されてしまうことなく、いわゆるＬ仕様のジッパーテープ付袋体１のみを製造できる。したがって、２つの仕様の梱包体６を用いる必要がないので、用いる部品点数を減少できることから、製造作業やバラ仕様の梱包体６の管理負荷を低減でき、ジッパーテープ付袋体１の製造が容易にでき、製造効率を向上できる。
【００４７】
そして、用いるジッパーテープ２０が、雄部材２１の雄部２１Ｂの長手方向に対する断面形状が、幅方向で非対称な形状である。すなわち、いわゆるＬ仕様のジッパーテープ付袋体１で、易開封性および高封止性を付与するために、雄部２１Ｂが断面非対称に形成されている。
このことから、製造装置５に供給する向きが、例えば上側に雄部材２１が位置するか、雌部材２２が位置するかで、製造されるジッパーテープ付袋体１の仕様が異なってしまい、所望の特性のジッパーテープ付袋体１が得られなくなってしまう。したがって、このような非対称なジッパーテープ２０を用いて製袋する場合には、特に有効である。
【００４８】
また、上記第一実施形態では、テープ送出装置５２Ｂからジッパーテープ２０の収納始めの端部２０Ａを供給するために、梱包体６の天地を逆転させる際、収納終わりの端部２０Ｂも底面６１Ｃ側に移動させている。
このため、他の梱包体６の天地を逆転させていわゆるＲ仕様としたものを連設する際、既に収納終わりの端部２０Ｂは上方に臨んでいるため、天地を逆転させてＲ仕様とした他の梱包体６の収納始めの端部２０Ａを容易に連結できる。したがって、ジッパーテープ２０の連続供給が容易にできる。
【００４９】
そして、上記第一実施形態では、ジッパーテープ２０の収納始めの端部２０Ａを、段ボール箱６１の上面６１Ａに臨む位置に仮止めした後、ジッパーテープ２０を段ボール箱６１内に落下して収納させた梱包体６としている。
このため、段ボール箱６１を開封した際、ジッパーテープ２０の収納始めの端部２０Ａが、上面開口６１Ａ１に臨むことから、例えば他のＬ仕様の梱包体６の収納終わりの端部２０Ｂに連結して、ジッパーテープ２０を連続供給できるようにすることが容易にできる。
【００５０】
また、上記第一実施形態では、梱包体６では、粘着テープ６５Ａ，６５Ｂを、ジッパーテープ２０の雄部材２１側に粘着する状態で仮止めしている。
このため、ジッパーテープ２０を製造装置５に装着する際、ジッパーテープ２０の雄部材２１がいずれ側か容易に判断できる。したがって、正しい仕様のジッパーテープ付袋体１に製造することが、容易にできる。
【００５１】
そして、上記第一実施形態では、段ボール箱６１の外面に仕様表示６６および天地表示６７を設けている。
このため、いわゆるＬ仕様として供給される収納終わりの端部２０Ｂ、およびＬ仕様として連結される収納始めの端部２０Ａが、段ボール箱６１のいずれの面、すなわち上面６１Ａに位置することが、段ボール箱６１を開封しなくても判定できる。したがって、端部２０Ａ，２０Ｂの取り出しが容易にでき、ジッパーテープ付袋体１の製造が容易にできる。
【００５２】
［第二実施形態］
次に、本発明の第二実施形態を図面に基づいて説明する。
この第二実施形態は、第一実施形態におけるジッパーテープ２０の梱包状態とは異なるものである。すなわち、第二実施形態は、ジッパーテープ２０の収納始めの端部２０Ａが底面６１Ｃに臨む位置で、収納終わり端部２０Ｂが上面６１Ａに臨む位置で梱包されたものを例示する。
なお、第一実施形態と同一または類似の構成については、同一の符号を付して説明を省略または簡略化する。
図８は、ジッパーテープの梱包体からジッパーテープを取り出す動作を示す説明図である。（Ａ）は、ジッパーテープの梱包体を示す斜視図、（Ｂ）は、上面を開口させた梱包体を示す斜視図、（Ｃ）は、ジッパーテープの収納終わりの端部を移動させた梱包体を示す斜視図である。図９は、ジッパーテープの梱包体からジッパーテープを取り出す動作を示す説明図である。（Ｄ）は、開口を封止した梱包体を示す斜視図、（Ｅ）は、天地を逆転させた梱包体を示す斜視図、（Ｆ）は、底面を開口させた梱包体を示す斜視図である。
【００５３】
＜梱包体の構成＞
図８，９に示すように、梱包体７は、段ボール箱６１内にジッパーテープ２０が落下されながら収納されたもので、段ボール箱６１と、ビニール袋６２と、支持板６３と、芯部材６４と、ジッパーテープ２０と、を備えている。
段ボール箱６１は、上面６１Ａから底面６１Ｃに亘って切り込み６８Ａを形成できるように、例えばカットテープや紐状体などの開口形成部としての切断条６８が設けられている。
そして、梱包体７は、図８（Ａ）に示すように、ジッパーテープ２０の収納始めの端部２０Ａが、段ボール箱６１の底面６１Ｃに位置するビニール袋６２に、粘着テープ６５Ａにて予め仮止めされている。この状態で、ジッパーテープ２０が段ボール箱６１内に落下されつつ、芯部材６４を軸として周回状に収納されている。そして、ジッパーテープ２０の収納終わりの端部２０Ｂは、段ボール箱６１の上面開口６１Ａ１から導出されたビニール袋６２の開口縁６２Ａの近傍に、粘着テープ６５Ｂにて仮止めされている。そして、梱包体６は、図８（Ａ）に示すように、段ボール箱６１の上面開口６１Ａ１が封止され、ジッパーテープ２０が梱包されている。
【００５４】
＜ジッパーテープ付袋体の製造方法＞
そして、ジッパーテープ付袋体１の製造に際しては、フィルム送出装置５１にフィルム巻取ロール１１１を装着するとともに、一対のテープ送出装置５２Ａ，５２Ｂにジッパーテープ２０を供給可能に装着しておく。
ジッパーテープ２０の装着に際しては、テープ送出装置５２Ａ（図５中紙面下側）にはいわゆるＬ仕様で、テープ送出装置５２Ｂ（図５中紙面上側）にはいわゆるＲ仕様で、ジッパーテープ２０を供給する状態とする。
【００５５】
すなわち、ジッパーテープ２０をテープ送出装置５２Ａで供給する場合には、梱包体６の上面６１Ａを開口させ、粘着テープ６５Ｂをビニール袋６２から取り外し、ジッパーテープ２０の収納終わりの端部２０Ｂを、上面開口６１Ａ１から取り出す。この取り出した状態では、ジッパーテープ２０の収納終わりの端部２０Ｂに、粘着テープ６５Ｂを取り付けたままとする。
そして、雄部材２１側が鉛直方向の上側となる状態で送り出される状態に、収納終わりの端部２０Ｂを一方のテープ送出装置５２Ａに装着させる。
【００５６】
一方、ジッパーテープ２０をテープ送出装置５２Ｂで供給する場合には、図８（Ａ）に示す梱包体７について、図８（Ｂ）に示すように、梱包体７の上面６１Ａを開口させる。そして、段ボール箱６１の切断条６８を段ボール箱６１から切り取るようにして、段ボール箱６１の上面６１Ａから底面６１Ｃに亘る切り込み６８Ａを形成する。この後、粘着テープ６５Ｂをビニール袋６２からそれぞれ取り外し、図８（Ｃ）に示すように、ジッパーテープ２０の収納終わりの端部２０Ｂを、切り込み６８Ａを通して段ボール箱６１の底面６１Ｃ側へ移動させる。
そして、図９（Ｄ）に示すように、収納終わりの端部２０Ｂが切り込み６８Ａから外部に延出状態で、段ボール箱６１の上面開口６１Ａ１および切り込み６８Ａを仮封止する。さらに、図９（Ｅ）に示すように、梱包体６の天地を逆転させる。
この後、段ボール箱６１の上方に臨む底面６１Ｃを開口させ、切断条６８をさらに切り取って切り込み６８Ａを延長し、支持板６３を取り外し、図９（Ｆ）に示すように、ジッパーテープ２０の収納終わりの端部２０Ｂを、上方に臨む底面開口６１Ｃ１から延出させる。また、底面６１Ｃの開口により、ジッパーテープ２０の収納始めの端部２０Ａが、底面開口６１Ｃ１に臨む状態となる。そして、収納始めの端部２０Ａを、他方のテープ送出装置５２Ｂに装着させる。この装着の際、雄部材２１が上方に臨む状態とする。
【００５７】
＜第二実施形態の効果＞
上述したように、上記第二実施形態では、ジッパーテープ２０の収納始めの端部２０Ａを底面６１Ｃに臨ませ、収納終わりの端部２０Ｂを上面６１Ａに臨ませて梱包した梱包体７を用いる。そして、テープ送出装置５２Ａからジッパーテープ２０を供給する場合には、梱包体７の上面６１Ａを開口させ、上面開口６１Ａ１に臨む収納終わりの端部２０Ｂを引き出して供給する。一方、テープ送出装置５２Ｂからジッパーテープ２０を供給する場合には、天地を逆転させて上方に臨む底面６１Ｃを開口させることで、収納始めの端部２０Ａを引き出して供給できる。
このように、第一実施形態と同様に、いわゆるＬ仕様用の梱包体６のみでも、天地を適宜逆転させ、対称的にジッパーテープ２０を供給するテープ送出装置５２Ａ，５２Ｂから、端部２０Ａ，２０Ｂを適宜供給させている。このため、いわゆるＬ仕様とＲ仕様とが対称的に製造されてしまうことなく、いわゆるＬ仕様のジッパーテープ付袋体１のみを製造できる。したがって、２つの仕様の梱包体６を用いる必要がなく、用いる部品点数を減少できることから、製造作業やバラ仕様の梱包体６の管理負荷を低減でき、ジッパーテープ付袋体１の製造が容易にでき、製造効率を向上できる。
そして、第一実施形態と同様、非対称なジッパーテープ２０を用いて製袋する場合には、特に有効である。
【００５８】
また、第二実施形態では、収納始めの端部２０Ａから取り出して送り出す際、上面開口６１Ａ１に臨む収納終わりの端部２０Ｂを、切り込み６８Ａを通して底面６１Ｃ側に移動させ、収納始めの端部２０Ａと共に上方に臨む状態としている。
このため、第一実施形態と同様、他の梱包体６の天地を逆転させていわゆるＲ仕様としたものを連設する際、既に収納終わりの端部２０Ｂは上方に臨んでいるため、容易に連結でき、ジッパーテープ２０を容易に連続供給できる。
なお、梱包体７からジッパーテープ２０の収納終わりの端部２０Ｂを取り出し、テープ送出装置５２Ａに装着して供給する場合、ジッパーテープ２０を連続供給するために、収納始めの端部２０Ａを取り出す場合、まず梱包体７の天地を逆転させる。そして、図８（Ｂ），（Ｃ）、図９（Ｄ），（Ｅ），（Ｆ）における収納終わり端部２０Ｂを取り出す作業のように、収納始めの端部２０Ａを取り出す作業を実施する。このことにより、梱包体７の上面開口６１Ａ１に端部２０Ａ，２０Ｂが延出する状態となり、連続供給のための連結も容易にできる。
【００５９】
［第三実施形態］
次に、本発明の第三実施形態を図面に基づいて説明する。
この第三実施形態は、第一実施形態および第二実施形態におけるジッパーテープ２０の梱包状態とは異なるものである。すなわち、第三実施形態は、ジッパーテープ２０の収納始めの端部２０Ａが側面６１Ｂに臨む位置で、収納終わり端部２０Ｂが上面６１Ａに臨む位置で梱包されたものを例示する。
なお、第一実施形態および第二実施形態と同一または類似の構成については、同一の符号を付して説明を省略または簡略化する。
【００６０】
図１０は、ジッパーテープの梱包体からジッパーテープをＬ仕様で取り出す動作を示す説明図である。（Ａ）は、ジッパーテープの梱包体を示す斜視図、（Ｂ）は、上面を開口させた梱包体を示す斜視図である。図１１は、ジッパーテープの梱包体からジッパーテープをＬ仕様で取り出す動作を示す説明図である。（Ｃ）は、ジッパーテープの収納始めの端部を側面の開口から延出させた梱包体を示す斜視図、（Ｄ）は、ジッパーテープの収納終わりの端部を、上面の開口に移動させた梱包体を示す斜視図である。
図１２は、ジッパーテープの梱包体からＲ仕様でジッパーテープを取り出す動作を示す説明図である。（Ａ）は、ジッパーテープの梱包体を示す斜視図、（Ｂ）は、上面を開口させた梱包体を示す斜視図、（Ｃ）は、ジッパーテープの収納始めおよび収納終わりの端部を、それぞれ側面の開口から延出させた梱包体を示す斜視図である。図１３は、ジッパーテープの梱包体からジッパーテープをＲ仕様で取り出す動作を示す説明図である。（Ｄ）は、開口を封止した梱包体を示す斜視図、（Ｅ）は、天地を逆転させた梱包体を示す斜視図、（Ｆ）は、底面を開口させた梱包体を示す斜視図である。
【００６１】
＜梱包体の構成＞
図１０〜１３に示すように、梱包体８は、段ボール箱６１内にジッパーテープ２０が落下されながら収納されたもので、段ボール箱６１と、ビニール袋６２と、支持板６３と、芯部材６４と、ジッパーテープ２０と、を備えている。
段ボール箱６１は、一つの側面６１Ｂに円形の側面開口６１Ｂ１を形成させるいわゆるミシン目、すなわち破線状に連続する複数の孔の目打ち６９（開口形成部）が設けられている。この目打ち６９は、上面開口６１Ａ１および底面開口６１Ｃ１に連続するように形成されている。なお、目打ち６９が円形に形成された内側には、ジッパーテープ２０の収納始めの端部２０Ａおよび収納終わりの端部２０Ｂが位置し、側面６１Ｂを開口可能である旨を報知する印である開口表示８１が形成されている。
【００６２】
そして、梱包体８は、図１０（Ａ）および図１２（Ａ）に示すように、ジッパーテープ２０の収納始めの端部２０Ａが、段ボール箱６１の側面６１Ｂで、円形に形成された目打ち６９の内側に位置するビニール袋６２に、粘着テープ６５Ａにて予め仮止めされている。この状態で、ジッパーテープ２０が段ボール箱６１内に落下されつつ、芯部材６４を軸として周回状に収納されている。
また、ジッパーテープ２０の収納終わりの端部２０Ｂは、目打ち６９の内側に位置するビニール袋６２に、粘着テープ６５Ｂにて仮止めされる。そして、梱包体６は、図１０（Ａ）および図１２（Ａ）に示すように、段ボール箱６１の上面開口６１Ａ１が封止され、ジッパーテープ２０が梱包されている。
【００６３】
＜ジッパーテープ付袋体の製造方法＞
そして、ジッパーテープ付袋体１の製造に際しては、フィルム送出装置５１にフィルム巻取ロール１１１を装着するとともに、一対のテープ送出装置５２Ａ，５２Ｂにジッパーテープ２０を供給可能に装着しておく。
ジッパーテープ２０の装着に際しては、テープ送出装置５２ＡにはいわゆるＬ仕様で、テープ送出装置５２ＢにはいわゆるＲ仕様で、ジッパーテープ２０を供給する状態とする。
【００６４】
すなわち、ジッパーテープ２０をテープ送出装置５２Ａで供給する場合には、図１０（Ａ）に示す梱包体８について、図１０（Ｂ）に示すように、梱包体８の上面６１Ａを開口させる。そして、図１１（Ｃ）に示すように、段ボール箱６１の側面６１Ｂを目打ち６９で切断するとともに、ビニール袋６２を破き、側面開口６１Ｂ１を形成する。
そして、側面開口６１Ｂ１に臨むジッパーテープ２０の収納始めの端部２０Ａおよび収納終わりの端部２０Ｂを、側面開口６１Ｂ１からそれぞれ延出させる。さらに、目打ち６９で切断して側面開口６１Ｂ１を上面開口６１Ａ１に連通させ、収納始めの端部２０Ａおよび収納終わりの端部２０Ｂを切り込み６８Ａを移動させ、図１１（Ｄ）に示すように、上面開口６１Ａ１からそれぞれ延出させる。
なお、収納始めの端部２０Ａおよび収納終わりの端部２０Ｂは、切り込み６８Ａを移動させず、側面開口６１Ｂ１から上面開口６１Ａ１へ潜らせるようにして、上面開口６１Ａ１からそれぞれ延出させてもよい。
【００６５】
この後、ジッパーテープ２０の収納終わりの端部２０Ｂを、上面開口６１Ａ１から取り出す。この取り出した状態では、ジッパーテープ２０の収納終わりの端部２０Ｂに、粘着テープ６５Ｂを取り付けたままとする。
そして、雄部材２１側が鉛直方向の上側となる状態で送り出される状態に、収納終わりの端部２０Ｂを一方のテープ送出装置５２Ａに装着させればよい。
また、ジッパーテープ２０を連続供給するために、他の梱包体８を連結する場合には、上面開口６１Ａ１から延出させた収納始めの端部２０Ａに、他の梱包体８の上面開口６１Ａ１から延出させた収納終わりの端部２０Ｂを連結すればよい。このことにより、上方からジッパーテープ２０の連結作業が実施可能となる。
【００６６】
一方、ジッパーテープ２０をテープ送出装置５２Ｂで供給する場合には、図１２（Ａ）に示す梱包体８について、図１２（Ｂ）に示すように、梱包体８の上面６１Ａを開口させる。さらに、段ボール箱６１の側面６１Ｂを目打ち６９で切断するとともに、ビニール袋６２を破き、側面開口６１Ｂ１を形成する。
そして、図１２（Ｃ）に示すように、側面開口６１Ｂ１に臨むジッパーテープ２０の収納始めの端部２０Ａおよび収納終わりの端部２０Ｂを、側面開口６１Ｂ１からそれぞれ延出させる。
【００６７】
この後、図１３（Ｄ）に示すように、段ボール箱６１の上面開口６１Ａ１を仮封止する。さらに、図１３（Ｅ）に示すように、梱包体６の天地を逆転させる。
さらに、段ボール箱６１の上方に臨む底面６１Ｃを開口させ、目打ち６９で切断し、切り込み６８Ａを形成する。この切り込み６８Ａにより、側面開口６１Ｂ１を底面開口６１Ｃ１に連通させる。そして、側面開口６１Ｂ１から延出するジッパーテープ２０の端部２０Ａ，２０Ｂを、それぞれ切り込み６８Ａを通して、図１３（Ｆ）に示すように、底面開口６１Ｃ１から延出させる。この後、収納始めの端部２０Ａを、他方のテープ送出装置５２Ｂに装着させる。
また、他の梱包体８のジッパーテープ２０を連結する場合には、底面開口６１Ｃ１から延出する収納終わりの端部２０Ｂに連結させればよい。
【００６８】
＜第三実施形態の効果＞
上述したように、上記第三実施形態では、ジッパーテープ２０の収納始めの端部２０Ａおよび収納終わりの端部２０Ｂを、側面６１Ｂに臨ませて梱包した梱包体８を用いる。そして、テープ送出装置５２Ａからジッパーテープ２０を供給する場合には、梱包体８の側面６１Ｂを開口させ、側面開口６１Ｂ１に臨む収納終わりの端部２０Ｂを上面開口６１Ａ１へ移動させ、上面開口６１Ａ１から引き出して供給する。一方、テープ送出装置５２Ｂからジッパーテープ２０を供給する場合には、収納始めの端部２０Ａが臨む側面６１Ｂを開口させ、開口された側面開口６１Ｂ１から延出した収納始めの端部２０Ａを、底面６１Ｃ側に移動させる。そして、天地を逆転させることで、ジッパーテープ２０が絡まずに収納始めの端部２０Ａから引き出せるようにし、収納始めの端部２０Ａを供給している。
このように、第一実施形態および第二実施形態と同様に、いわゆるＬ仕様用の梱包体８のみでも、天地を適宜逆転させ、対称的にジッパーテープ２０を供給するテープ送出装置５２Ａ，５２Ｂから、端部２０Ａ，２０Ｂを適宜供給させている。このため、いわゆるＬ仕様とＲ仕様とが対称的に製造されてしまうことなく、いわゆるＬ仕様のジッパーテープ付袋体１のみを製造できる。したがって、２つの仕様の梱包体８を用いる必要がなく、用いる部品点数を減少できることから、製造作業やバラ仕様の梱包体６の管理負荷を低減でき、ジッパーテープ付袋体１の製造が容易にでき、製造効率を向上できる。
そして、第一実施形態および第二実施形態と同様、非対称なジッパーテープ２０を用いて製袋する場合には、特に有効である。
また、上方に端部２０Ａ，２０Ｂの双方を移動させておくことで、上方からジッパーテープ２０の連結が容易となり、ジッパーテープ２０の連続供給が容易にできる。
さらに、収納始めの端部２０Ａおよび収納終わりの端部２０Ｂの双方を同一の側面６１Ｂに臨んで配置させたので、端部２０Ａ，２０Ｂの取り出しが容易にできる。
【００６９】
［変形例］
なお、本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、材質、数量、その他の詳細な構成において、当業者が様々な変形を加えることができるものである。
したがって、上記に開示した材質、層構成などを限定した記載は、本発明の理解を容易にするために例示的に記載したものであり、本発明を限定するものではない。さらに、それらの材質などの限定の一部若しくは全部の限定を外した名称での記載は、本発明に含まれるものである。
【００７０】
例えば、梱包体６，７，８の収納容器としては、段ボール製の箱に限らず、天地を逆転可能で、上面６１Ａや底面６１Ｃを開口し、ジッパーテープ２０の端部２０Ａ，２０Ｂを適宜取り出し可能な、いずれの形態の箱体を利用できる。また、箱体としては、直方体や立方体形状に限らず、例えば円筒形なども利用できる。
また、ビニール袋６２は、水濡れ防止のためのものであり、ビニール袋６２を設けないものでもよい。
さらに、芯部材６４は、ジッパーテープ２０を端部２０Ａ，２０Ｂから取り出す時に絡み合わないように、一方向の周回状に収納させるためのもので、一方向の周回状に収納であれば、設けなくてもよい。同様に、支持板６３は、芯部材６４を立設するための部材であり、芯部材６４を立設可能ないずれの構成とすることができ、設けない構成でもよい。
【００７１】
また、ジッパーテープ２０の梱包状態としては、上記各実施形態に限られたものではなく、例えばジッパーテープ２０の端部２０Ａ，２０Ｂの双方を、段ボール箱６１の側面６１Ｂに臨むように収納したものでもよい。そして、側面６１Ｂに位置させた端部２０Ａ，２０Ｂは、同一の側面６１Ｂでも、異なる側面６１Ｂでもよい。なお、異なる側面６１Ｂに端部２０Ａ，２０Ｂがそれぞれ臨むようにした場合には、各側面６１Ｂに端部２０Ａ，２０Ｂが位置することを報知する開口表示８１などの印を設けておくとよい。
特に、側面６１Ｂに端部２０Ａ，２０Ｂがそれぞれ臨む構成では、例えば図１４に示すように、ジッパーテープ２０を挿通可能な程度の比較的に小さい側面開口６１Ｂ１を、側面６１Ｂに形成しておく。この側面開口６１Ｂ１には、上面開口６１Ａ１や底面開口６１Ｃ１に連通させる目打ち６９が連続して設けておくとよい。このことにより、端部２０Ａ，２０Ｂを移動させるための比較的大きな側面開口６１Ｂ１を形成させたり、切断具にて切り込み６８Ａを形成させたりする必要がなく、端部２０Ａ，２０Ｂの取り出しが容易にできる。
なお、目打ちに限らず、例えば図１５に示すように、切断条６８を設けてもよい。このような切断条６８で切断する構成では、切断条６８を引っ張るなどして段ボール箱６１を切断するので、端部２０Ａ，２０Ｂの取り出しが容易にできる。
【００７２】
また、テープ類としては、雄部が断面非対称のジッパーテープ２０に限らず、雄部の断面が対称形のジッパーテープの梱包や取り出しにも適用できる。
さらには、断面非対称のテープ類としては、例えば図１６に示すように、雄部２１Ｂおよび雌部２２Ｂが複数対設けられたジッパーテープ２０としてもよい。
さらに、テープ類としては、ジッパーテープ２０に限らず、断面形状が非対称な各種テープ類を対象とすることができる。
【００７３】
また、例えば、図１７に示すように、雄部材２１および雌部材２２の幅寸法が異なるジッパーテープ２０や、カットテープなどの開封条３０を備えたジッパーテープ２０などとしてもよい。
この図１７に示すような、袋本体１０の一方の基材フィルム１１側のみに、ジッパーテープ２０の一面側を接合する構成では、いわゆるＬ仕様用とＲ仕様用との異なる形態で梱包したものを用いて製袋した場合、基材フィルム１１に接合する位置が対称的に逆となる。このため、いわゆるＬ仕様用またはＲ仕様用の一つの梱包状態のものとした場合、所望とするジッパーテープ付袋体１とは接合状態が逆のものとなってしまう。一方、本発明では、一つの梱包状態でも、いわゆるＬ仕様用またはＲ仕様用に変更できるため、片側のみ接合する図１７の構成としても、適宜対応できる。したがって、汎用性の向上が期待できる。
【符号の説明】
【００７４】
６，７，８…テープ類梱包体である梱包体
２０………テープ類であるジッパーテープ
２０Ａ……収納始めの端部
２０Ｂ……収納終わりの端部
６１………収納容器である段ボール箱
６１Ａ……上面
６１Ａ１…上面開口
６１Ｂ……側面
６１Ｂ１…側面開口
６１Ｃ……底面
６１Ｃ１…底面開口
６６………印である仕様表示
６７………印である天地表示
６８………開口形成部としての切断条
６８Ａ……開口としても機能する切り込み
６９………開封形成部としての目打ち
７０………テープ類である帯状部材
８１………印である開口表示
【図１】
2017226467.tif 000003
【図２】
2017226467.tif 000004
【図３】
2017226467.tif 000005
【図４】
2017226467.tif 000006
【図５】
2017226467.tif 000007
【図６】
2017226467.tif 000008
【図７】
2017226467.tif 000009
【図８】
2017226467.tif 000010
【図９】
2017226467.tif 000011
【図１０】
2017226467.tif 000012
【図１１】
2017226467.tif 000013
【図１２】
2017226467.tif 000014
【図１３】
2017226467.tif 000015
【図１４】
2017226467.tif 000016
【図１５】
2017226467.tif 000017
【図１６】
2017226467.tif 000018
【図１７】
2017226467.tif 000019